(57)【特許請求の範囲】
【請求項１】
ホースの端部内側に挿入される樹脂製の略円筒状のニップルであって、前記ニップルの外周面に少なくとも１個の環状体が、前記環状体の内周が前記ニップルの外周に接触するように配設され、
前記環状体が前記ニップルと接合一体化されており、
前記環状体が外周面に周方向に形成された少なくとも１個の溝部を有し、且つ
前記溝部内に配設されるゴム製のＯ−リングを有することを特徴とする口金具用ニップル。
【請求項２】
前記環状体の材料が金属、熱硬化性樹脂、ゴムまたは熱可塑性樹脂の少なくとも１種を含むことを特徴とする請求項１に記載の口金具用ニップル。
【請求項３】
請求項１または２に記載の口金具用ニップルを含むホース口金具と、前記ニップルが挿入されたホースと、前記ニップルと前記ホースとの重なり部分においてホースの外周面側に配置される締め具とを有することを特徴とするホース口金具接続構造。
【請求項４】
前記ホースが少なくとも樹脂製の内面層チューブと、前記内面層チューブの外周を覆う補強層とを含んで構成されていることを特徴とする請求項３に記載のホース口金具接続構造。
【請求項５】
前記ホースの樹脂製の内面層チューブが、フッ素樹脂、ポリブテン樹脂、ポリエチレン樹脂、または架橋ポリエチレン樹脂の少なくとも１種を含む単層構造であるか、または前記樹脂からなる内層と、前記内層の外周を覆う熱可塑性エラストマーの外層からなる複層構造であることを特徴とする請求項４に記載のホース口金具接続構造。
【請求項６】
前記ホースの補強層が繊維および／または金属ワイヤーを有する単層構造あるいは複層構造であることを特徴とする請求項４または５に記載のホース口金具接続構造。
【請求項７】
前記ホースが補強層の外周を覆う外被層を含んで構成されていることを特徴とする請求項４〜６のいずれか１項に記載のホース口金具接続構造。
【発明の詳細な説明】
【技術分野】
【０００１】
本発明は、ホース口金具に用いられる樹脂製ニップルおよびホース口金具接続構造に関し、例えば、台所の流し台または洗面台の水栓金具やトイレ貯水タンク、その他給水・給湯用の可とう性ホースに挿入され加締められて使用される口金具用樹脂製ニップル、およびそのニップルを有するホース口金具とホースとの接続構造に関する。
【背景技術】
【０００２】
従来から、家屋内の上水道の配管には可とう性ホースが使用され、可とう性ホースを接続する口金具に用いられるニップルは金属製および樹脂製のものが使用されている。金属製ニップルは、真鍮製またはステンレス製の棒材から切削加工により作製される。これをホースに挿入し、ステンレス製等の金属製スリーブによりホースの外周面側から加締めることによってホースと接続させている。これらの金属製ニップルは水道水による腐食に比較的耐性がある材質であること、加締めに対する強度が十分に有する点で優位である。
【０００３】
一方、樹脂製ニップルは生産性が高いという点で優位である。しかしながら、樹脂製ニップルは強度の面では金属製に比較すると必ずしも十分とは言えない。金属製の場合と同様に樹脂製ニップルをホースに挿入し、金属製の筒状のスリーブ等の締め具によりホース外周面側から加締めるが、その際に、樹脂の材質によっては強度不足のために変形または割れが生じることがある。
【０００４】
このような問題に対して、樹脂配管の接続端部に金属製の筒状体を埋設して、加締めに対する樹脂配管の強度を確保する樹脂配管の接続端部構造が知られている（特許文献１）。
【０００５】
また、樹脂製ニップルは一般的に樹脂の射出成形で製造されるため、金型が使用されている。その金型の割り面はニップルの形状からニップルの軸方向に生じるのが通常である。そのため、成形されたニップルには、金型の割り面跡であるパーティングラインがニップルの両端へ向かい、軸方向に一直線上に生じる。従って、パーティングラインの食い違いが大きい場合やバリが生じている場合には、ニップルをホースに挿入し、締め具によりホースの外周面側から加締める際に、パーティングラインを伝って、流体が通り抜け、漏水に至る場合がある。前記特許文献１の構造では、この問題についての対策とはならない。
【０００６】
【特許文献１】特開２００６−２３４１２９号公報
【特許文献２】特開２００７−７１２２２号公報
【特許文献３】特開２００７−１２０５１１号公報
【発明の開示】
【発明が解決しようとする課題】
【０００７】
本発明は上記問題点を考慮し、ホース口金具に含まれる樹脂製ニップルであって、上記パーティングラインに係る漏水が防止され、さらに締め具によりホースの外周面側から加締める際の圧力によるニップルの変形または割れ等が防止された構造を有するニップルおよびそのニップルを有するホース口金具をホースに接続したホース口金具接続構造を提供することを目的とする。
【課題を解決するための手段】
【０００８】
上記目的は、ホースの端部内側に挿入される樹脂製の略円筒状のニップルであって、前記ニップルの外周面に少なくとも１個の環状体が、前記環状体の内周が前記ニップルの外周に接触するように配設され、前記環状体が前記ニップルと接合一体化されており、前記環状体が外周面に周方向に形成された少なくとも１個の溝部を有し、且つ前記溝部内に配設されるゴム製のＯ−リングを有することを特徴とする口金具用ニップルにより達成される。
【０００９】
これにより、樹脂製ニップルを射出成形により製造する際に、金型の割り面に沿って生じるパーティングラインが、ニップルの外周面に配設されている前記環状体によって分断されることで、可とう性ホースを接続した際にパーティングラインを伝って生じる漏水を防ぐことができる。さらに、前記環状体がホースの外周面側から加締める際の圧力を受けることで、樹脂製ニップルの変形や割れを防止することができる。そして、前記溝部にＯ−リングが配設されていることによって、ホースを加締める際にホースの内側にＯ−リングが密着し、シール性を向上させることができる。
【００１０】
本発明に係る口金具用ニップルの好ましい態様は以下の通りである。
【００１１】
（１）前記環状体の材料が金属、熱硬化性樹脂、ゴム、または熱可塑性樹脂の少なくとも１種を含んでいる。
【００１２】
本出願において、Ｏ−リングとは断面形状が円である環状体のことを言う。
【００１５】
さらに、上記目的は、本発明に係る口金具ニップルを含むホース口金具と、前記ニップルが挿入されたホースと、前記ニップルと前記ホースとの重なり部分においてホースの外周面側に配置される締め具とを有することを特徴とするホース口金具接続構造により達成される。
【００１６】
これにより、ホース端部内側に前記ニップルを挿入し、ホースの外周面側から金属製の締め具で加締めることで、ホースとホース口金具とを接続することができる。このとき、本発明の口金具ニップルを有しているので、上記パーティングラインに係わる漏水を防ぐことができ、加締める際の圧力によるニップルの変形や割れを防止することができる。
【００１７】
本発明に係るホース口金具接続構造の好ましい態様は以下の通りである。
（１）前記ホースが少なくとも樹脂製の内面層チューブと、前記内面層チューブの外周を覆う補強層とを含んで構成されている。
（２）前記ホースの樹脂製の内面層チューブが、フッ素樹脂、ポリブテン樹脂、ポリエチレン樹脂、または架橋ポリエチレン樹脂の少なくとも１種を含む単層構造であるか、または前記樹脂からなる内層と、前記内層の外周を覆う熱可塑性エラストマーの外層からなる複層構造である。
（３）前記ホースの補強層が繊維および／または金属ワイヤーを有する単層構造あるいは複層構造である。
（４）前記ホースが補強層の外周を覆う外被層を含んで構成されている。
【発明の効果】
【００１８】
本発明によれば、樹脂製ニップルにおけるパーティングラインが分断されているので、上記パーティングラインに係る漏水が防止され、さらにホース外周面側から加締める際の圧力による変形や割れが防止された口金具用ニップルを得ることができる。また、シール性に優れたホース口金具接続構造とすることができる。
【発明を実施するための最良の形態】
【００１９】
以下、本発明の実施形態に係る口金具用ニップルおよびホース口金具接続構造について図面を参照して説明する。
【００２０】
参考例としてホース口金具用ニップル２４を含むホース口金具２２の構造の１例を図１に示す。樹脂製の略円筒状のニップル２４はその外周面の一部に環状体５０がはめ込まれた状態で接合一体化されている。ニップル２４を射出成形する際に、金型の割り面に生じるパーティングラインはニップル２４の軸方向に一直線上に生じ、漏水の原因となるが、ニップル２４本体の射出成形とは切り離されている環状体５０の内周がニップル２４の外周に接触して接合一体化されていると、パーティングラインを分断することができ、上記パーティングラインに係る漏水を防止することができる。また、環状体５０がホースを加締める際の圧力を受けることで、ニップル２４の変形や割れを防止することができる。
【００２１】
図２（Ａ）に本発明の口金具用ニップル２４を含むホース口金具２２の代表例を示す。また、図２（Ｂ）に環状体５０近傍の部分拡大図を示す。図１と同様にニップル２４はその外周面の一部に環状体５０がはめ込まれた状態で接合一体化されており、上記パーティングラインに係る漏水を防止することができる。さらに、図２における環状体５０には外周面に周方向に形成された溝部５１を有しており、溝部内にはゴム製のＯ−リング５２が配設されている。従って、図２における環状体５０は、例えば金属製環状体などの強度の高い環状体を用いることで、ホースを加締める際の圧力を受けることで、ニップル２４の変形や割れを防止すると共に、溝部５１にＯ−リング５２が配設されていることによって、ホースを加締める際にホースの内側にＯ−リング５２が密着し、シール性を向上させることができる。この場合、高いシール性を維持するためにはＯ−リング５２の外径Ｄ４に対して、環状体５０の外径Ｄ２は、Ｄ４＞Ｄ２の関係が成り立つことが好ましい。
【００２２】
また、図３に図２のホース口金具２２とホース１４とが接続された状態、即ち本発明のホース口金具接続構造１２の代表的な１例を示す。ホース口金具接続構造１２は、ホース１４と本発明に係る口金具ニップル２４を有するホース口金具２２と、及びこれらの重なり部３４においてホース１４の外周面側に配置される締め具２０で構成されている。締め具２０は例えば金属製の筒状のスリーブであり、内周側へ加締められることにより、ニップル２４の外周面に対し、ホース１４を押圧する作用を有している。
【００２３】
図３に示すように、ニップル２４はホース１４の内径Ｄ３よりも大きな外径Ｄ１を有している。ニップル２４の先端、即ちホース１４内への挿入端側には先細り部２６が形成され、ホース１４内へ容易に挿入できるようになっている。
【００２４】
先細り部２６と反対側の端部は拡径されると共に、外周にフランジが形成された拡径部２８とされている。フランジにはナット３０等が掛けられて、他の配管等への接続に供される。
【００２５】
拡径部２８から先細り部２６側に所定距離だけ離間した位置には、ニップル２４を部分的に拡径したフランジ状の係止部３２が形成されている。ホース１４内にニップル２４が挿入された状態で、ホース１４の先端１４Ｔの近傍が拡径部２８と係止部３２との間に入り込むと共に係止部３２に掛止されて、不用意な抜けが防止される。
【００２６】
図４に本発明のホース口金具接続構造１２に用いられる代表的なホース１４の構造の１例を示す。内面層チューブ１、その外周を覆う補強層２、その外周を覆う外被層３から構成されている。内面層チューブ１は弾性を有しており、単層構造であっても、内層と外層の複層構造であってもよい。補強層２はポリエステル繊維等の繊維を編組み又はスパイラル巻きした単層構造である。
【００２７】
図５には図４とは別の本発明のホース口金具接続構造１２に用いられる代表的なホース１４の構造の１例を示す。図５においては上記図４のホースにおける補強層２が繊維層２Ｄ〜２Ｆとその外側の金属ワイヤー層２Ｇで構成される複層構造となっている。繊維層２Ｄ〜２Ｆはポリエステル繊維等の繊維を編組みまたはスパイラル巻きしたものであり、金属ワイヤー層２Ｇは金属ワイヤーを編組みしたものである。
【００２８】
本発明において樹脂製ニップル２４の材料は本発明の目的を達成し、必要とする品質に応じた強度および安全性を備えていれば、いかなるものでも良く、例えばポリアセタール樹脂、ポリフェニレンサルファイド樹脂が使用できる。強度を維持するため上記樹脂がガラス繊維補強されていても良い。特にクリープ（長時間の負荷がかかった際の変形）を防ぐためにはガラス繊維補強は有効である。ガラス繊維の配合量は強度及び成形の容易さから５〜５０％が好ましく、特に２０〜３０％が好ましい。
【００２９】
図２に示す環状体５０を配設する位置は、ニップル２４をホース１４に挿入した際に、ホース１４の内周面に接する位置であれば、いずれでも良い。ホース外周面側から締め具２０により加締める際に圧力が掛る位置に配設することで、ニップルに対する補強の効果が期待できる。また、環状体５０の形状は、断面形状が円、だ円、正方形、長方形、多角形等いずれでも良く、大きさ（幅、厚み）もニップル２４の外周面に接合一体化させ、パーティングラインを分断させるために十分な接合面積を満たせば、必要とする強度やシール性に応じて適宜設定することができる。断面形また、環状体の個数については、少なくとも１個が配設されていれば良く、必要に応じて、複数個配設することもできる。
【００３０】
環状体５０はニップル２４と接合一体化されている。接合一体化する方法としては、ニップル２４の作製の後に接着剤を用いて環状体５０の内周全体をニップル２４の外周に張り付けてもよく、後述する製造方法によりニップル２４と環状体５０を一体成形しても良い。
【００３１】
環状体５０の材料は本発明の目的を達成するものであれば、いかなる種類でも良い。例えば、金属、熱硬化性樹脂、ゴム、熱可塑性樹脂、熱可塑性エラストマー、カーボン・グラファイト、ガラス繊維強化プラスチック、炭素繊維強化プラスチック等が挙げることができ、目的とするニップル２４の品質に応じて選択することができる。特に、ニップル２４の強度を高めるためにはステンレス、真鍮等の金属、エポキシ樹脂、フェノール樹脂、メラミン樹脂、不飽和ポリエステル樹脂、ユリア樹脂等の熱硬化性樹脂が好ましく、シール性を高めるためにはクロロプレンゴム、シリコンゴム、イソプレンゴム、天然ゴム、ニトリルゴム、ブチルゴム、ウレタンゴム等のゴムが好ましく、加工性の点ではポリエチレン、ポリエチレンテレフタレート、ポリプロピレン等の熱可塑性樹脂が好ましい。
【００３３】
環状体５０の材料が金属、熱硬化性樹脂、熱可塑性樹脂製等の強度の高い材料である場合、一般に環状体５０の外周面は平滑であっても良く、溝部や断面視にて鋸歯様（鋸歯の向きはニップル２４が挿入された状態でホース１４の抜けに対して抵抗性が生じる向きが好ましい）になっているような凸凹があっても良い。本発明においては、環状体５０は図２で説明したように外周面に周方向に形成された１個または複数個の溝部５１を有している。また、その溝部内に別のゴム製のＯ−リング５２が配設されている。Ｏ−リング５２を有する場合はホースが比較的硬いものであってもシール性が確保される。
【００３４】
本発明の口金具用ニップルの製造方法としては、環状体５０の材料が上記のいかなるものであっても、環状体５０を予めニップル２４の射出成形用金型の表面に配置し、型締めし、加熱融解したニップル２４の成形材料を金型に射出注入し、保圧後、冷却固化し、型開きし、ニップル２４と環状体５０とを一体成形することにより本発明の口金具用ニップルを製造することができる。ただし、この場合、環状体５０の材料は射出成形の際の熱により溶融しないものであることが必要である。溶融した場合は上記パーティングラインを分断することができない。金属製環状体等の接合一体化し難い環状体の場合は有機系皮膜処理等の表面処理を行っても良い。
【００３５】
なお、上記の様に環状体５０を予めニップル２４の射出成形用金型の表面に配置し、ニップル２４を射出成形することにより本発明の口金具用ニップルを製造したときは、環状体５０がニップル２４に接合一体化しない場合であっても、環状体５０がニップル２４の外周面に配設されていることにより、金型の割り面に生じるパーティングラインは分断されている。環状体５０の材料が金属などの硬質の材料である場合は、環状体５０がニップル２４に接合一体化していないときはその隙間から漏水が発生することになるが、環状体５０の材料がゴムの様なエラストマーの場合は、パーティングラインが分断されている部分において、環状体５０がホース外周面側から加締められるため、シール性が確保され、漏水を防止することができる。この効果を期待する場合、エラストマーはゴム、熱可塑性エラストマーいずれでも良いが、耐熱性、圧力永久ひずみが生じ難いものを選択するのが好ましい。特に上記のゴムが好ましい。
【００３６】
また、環状体５０の材料が熱可塑性樹脂である場合、ニップル２４との２色成形により、ニップル２４と環状体５０とを一体成型することで、本発明の口金具用ニップルを製造することができる。即ち、環状体５０射出成形用の一次成形用金型を型締めし、加熱融解した環状体５０の成形材料を一次成形用金型に射出注入し、冷却固化し、型開きし、次いで一次成形品部を取り込んだニップル２４射出成形用の二次成形用金型を型締めし、加熱融解したニップル２４の成形材料を二次成形用金型に射出注入し、冷却固化し、型開きする成形方法である。２色成形の方式は本発明の口金具用ニップルが製造できればいずれでも良い。ただし、ニップル２４に生じるパーティングラインと環状体５０に生じるパーティングラインがニップル２４の軸方向に一致しないことが必要である。一致した場合は上記パーティングラインを分断することができないため、上記パーティングラインに係る漏水を防止することができない。
【００３７】
また、環状体５０の材料がゴムの場合、加硫接着により、環状体５０をニップル２４に接合一体化することにより本発明の口金具用ニップルを製造することができる。加硫接着はゴム製の環状体５０がニップル２４に接合一体化すればいかなる方法を用いても良く、例えば、ニップル２４を作製した後、環状体５０をニップル２４にはめ込み、加熱処理または熱プレス処理により行い、直接加硫接着しても、加硫接着剤を用いて間接加硫接着しても良い。また、環状体５０を上記のように予めニップル２４の射出成形用金型の表面に配置し、型締めし、加熱融解したニップル２４の成形材料を金型に射出注入し、その熱で環状体５０をニップル２４の外周面に加硫接着させ、冷却固化することにより接合一体化しても良い。効率的に製造できる点で、後者の方が好ましい。材料ゴムは、上記のいずれのゴムでも良く、特に圧力永久ひずみが生じ難いシリコンゴム、イソプレンゴム、天然ゴム、クロロプレンゴム等が好ましい。
【００３８】
図３で説明したように、本発明に係るホース口金具接続構造１２は、少なくとも本発明に係る口金具用ニップル２４を有するホース口金具２２と、ニップル２４が挿入された可とう性ホース１４と、ニップル２４とホース１４との重なり部分においてホースの外周面側に配置される締め具２０とを含む。ホース口金具２２は本発明に係る口金具用ニップル２４を含んで構成されていれば、いかなるものでも良く、目的に応じて適宜選択することができる。例えば特許文献２または特許文献３に示されたようなホース口金具の構造であっても良い。また、ナット３０は金属製であっても、樹脂製であっても良い。締め具２０は本発明の目的を達成するものであれば、いかなるものでも良い。好ましくは、本発明に係る口金具用ニップル２４を効果的に機能させるために金属製の筒状のスリーブが良く、特に錆が発生しにくいステンレス製スリーブが良い。
【００３９】
ホース１４は可とう性ホースであり、本発明の目的を達成するものであればいかなるものでも良い。給水等に使用する際の圧力に対する強度を確保するため、図４に示したように内面層チューブ１と、その外周を覆う補強層２を含んで構成されていることが好ましい。内面層チューブ１は、本発明の目的を達成するものであれば、いかなる材質および構造でも良く、ホース１４の必要とする柔軟性等の品質に応じて選択することができる。例えば、フッ素樹脂、ポリブテン樹脂、ポリエチレン樹脂、架橋ポリエチレン樹脂、ゴム等の単層構造としても、それらの樹脂を内層として、その外周をポリオレフィン系エラストマーの外層で覆った構造や、ゴム等の内面にフッ素樹脂コーティングする構造の複層構造としても良い。特に、給水又は給湯用など水道水と接する場合は、塩素対策として、接液部である最内面はフッ素樹脂、ポリエチレン樹脂、架橋ポリエチレン樹脂、またはポリブテン樹脂の少なくとも１種を含んで構成されていることが好ましい。また、内面層チューブを単層構造とした場合に、硬くなり、曲がりにくくなることを考慮すると、内面層チューブを複層構造とし、前記樹脂を内層として、その外周を熱可塑性エラストマーの外層で覆った構造としても良い。熱可塑性エラストマーは、いかなるものでも良く、必要とする品質に応じて選択できる。例えばポリオレフィン系エラストマーを用いることができる。
【００４０】
図４に示す補強層２は本発明の目的を達成するものであれば、いかなる繊維または金属ワイヤーでも、いかなる構造でも良く、ホース１４の必要とする品質に応じて選択することができる。例えば、ポリエチレンテレフタレート繊維、ポリエチレンナフタレート繊維等のポリエステル繊維、ナイロン繊維、アラミド繊維などの合成繊維またはコットン繊維などの植物性繊維でも良く、これらを単独で使用しても複数種を併用しても良い。繊維の太さは５０デニール〜２５００デニールとすることが好ましく、構造は編組みまたはスパイラル巻きして、編組み層または互いに対をなす方向に巻き付けられたスパイラル層として形成される構造が好ましい。また、金属ワイヤーの場合は、例えばステンレスワイヤー、鉄ワイヤー、銅ワイヤー、アルミニウムワイヤーなどでも良く、特に錆が発生しにくいステンレスワイヤーが好ましい。金属ワイヤーの引張強さは１５００Ｎ／ｍｍ2〜３０００Ｎ／ｍｍ2が好ましく、線径は０．１５ｍｍ〜０．５ｍｍが好ましく、特に柔軟性と強度の点から０．２ｍｍ〜０．３ｍｍが好ましい。金属ワイヤーの場合は編み込み構造が好ましい。ホースの柔軟性を考慮すると、スパイラル状に巻き付けるとピッチが粗密になるからである。編組み密度は７０％〜９５％、編み上げ角度は５０°〜６０°とすることが好ましい。
【００４１】
また、図５に示したように補強層２を複層構造で構成することもできる。繊維層２Ｄ〜２Ｆがポリエステル繊維などの上記の繊維で形成され、この場合、繊維をスパイラル状に巻き付けた第１繊維層２Ｄとこの第１繊維層２Ｄとは逆向きのスパイラル状に巻き付けた第２繊維層２Ｅ、さらに第１、第２繊維層２Ｄ、２Ｅを安定化させる保持層として押え糸層２Ｆが形成されるのが好ましい。その外周に金属ワイヤー層２Ｇがステンレスワイヤーなどの上記の金属ワイヤーを編組みして形成され、複層構造とすることができる。この場合、ホースの柔軟性を考慮すると、編み組み密度は１５％〜５５％、編み上げ角度は５４°〜７０°とすることが望ましい。
【００４２】
さらに、ホース１４は図４および５に示したように、必要に応じて補強層２の外周を覆う外被層３を含んで構成することができる。外被層は本発明の目的を達成するものであれば、いかなる樹脂でも良く、ホース１４の必要とする柔軟性等の品質に応じて選択することができる。特に、ポリウレタン、ポリプロピレンが好ましく、特にポリプロピレンが加工性の点から好ましい。さらに、前記ホースに、より柔軟性を求める場合はポリプロピレンとスチレン−ビニル−イソプレントリブロック共重合体のビニル−イソプレン相の水素添加物（以下、水素添加スチレンブタジエンラバーと略記する）を混合した、スチレン系熱可塑性エラストマー組成物を前記樹脂材料としても良い。水素添加スチレンブタジエンラバーを混合する割合は、総樹脂量に対して、４０質量％〜８０質量％が好ましい。
【００４３】
なお、本発明は上記の実施の形態の構成に限定されるものではなく、発明の要旨の範囲内で種々変形が可能である。
【図面の簡単な説明】
【００４４】
【図１】参考例の口金具用ニップルを有するホース口金具の実施形態の一例を示す一部を断面とした側面図である。
【図２】本発明の口金具用ニップルを有するホース口金具の実施形態の一例を示し、（Ａ）は一部を断面とした全体側面図、（Ｂ）は一部を部分拡大して示す断面図である。
【図３】本発明の口金具用ニップルを有するホース口金具が適用されたホース口金具接続構造の実施形態の一例を示す断面図である。
【図４】本発明のホース口金具接続構造の構成に含まれるホースの一例を示す一部断面斜視図である。
【図５】本発明のホース口金具接続構造の構成に含まれるホースの他の一例を示す一部断面斜視図である。
【符号の説明】
【００４５】
１    内面層チューブ
２    補強層
３    外被層
１２  ホース口金具接続構造
１４  ホース
２０  締め具
２２  ホース口金具
２４  ニップル
２６  先細り部
２８  拡径部
３０  ナット
３２  係止部
３４  重なり部
５０  環状体
５１  凹溝
５２  Ｏ−リング
【図１】
0005248873.tif 000002
【図２】
0005248873.tif 000003
【図３】
0005248873.tif 000004
【図４】
0005248873.tif 000005
【図５】
0005248873.tif 000006